(57)【要約】【課題】  机の天板の側端部にサイドパネルを着脱自在に取付ける構造の提供。【解決手段】  天板２の手前縁には第１部材３を固定し、第２部材４は天板２の上に載置され、天板２の縁部１９を第１部材３の開口１０に嵌めてアジャスター１２にて固定し、そして上片部７には嵌合溝１１を形成し、一方、第２部材４は底部１４から起立して間に嵌合溝１６を有す両板片１５ａ，１５ｂを設け、上記サイドパネル１を第１部材３の嵌合溝１１と第２部材４の嵌合溝１６に嵌めて垂直に起立して取付けることが出来る。【選択図】    図１
2011036404.tif 000002
【特許請求の範囲】
【請求項１】
机の天板の側端部にサイドパネルを取付ける構造において、天板の手前縁には第１部材を固定し、第２部材は天板の上に載置され、上記第１部材は上片部と下片部及び連結部を有した概略コ形で上片部と下片部の間には開口を設けると共に該下片部にはアジャスターを取付け、天板の縁部を上記開口に嵌めてアジャスターにて固定し、そして上片部には嵌合溝を形成し、一方、第２部材は底部から起立して間に嵌合溝を有す両板片を設け、上記サイドパネルを第１部材の嵌合溝と第２部材の嵌合溝に嵌めて垂直に起立して取付けたことを特徴とするサイドパネルの取付け構造。
【請求項２】
上記アジャスターをネジに螺合し、回転することで上昇可能とした請求項１記載のサイドパネルの取付け構造。
【請求項３】
上記第２部材の底部底面に粘着樹脂材を固着した請求項１、又は請求項２記載のサイドパネルの取付け構造。
【請求項４】
上記第２部材の底部底面にマグネットを取着し、板片の内面にもマグネットを取付けた請求項１、又は請求項２記載のサイドパネルの取付け構造。
【発明の詳細な説明】
【技術分野】
【０００１】
本発明は机の天板側縁に取付けて、隣の机との間を遮ることが出来るサイドパネルを取付ける構造に関するものである。
【背景技術】
【０００２】
オフィスにおいて複数の机が配列されて仕事をする場合、隣りの机に座っている人の視線を遮る方が落ち着いて仕事が出来、時には仕事の効率が向上することもある。又、常に他人の視線を気にして仕事するのではストレスが溜まり、ひいては仕事の効率にも影響する。そこで、近年では机の正面及び両側面にパネルを起立した一種の間仕切り装置も多用されている。
【０００３】
図８は机の天板の正面と側面にパネルを起立した間仕切り装置（ローパーティション）の具体例を示している。同図の（イ）は机の天板、（ロ）は正面パネル、（ハ）は側面パネルを夫々表し、このような間仕切り装置では、隣りの人の視線を完全に遮ることが出来る。しかし、机の天板（イ）を同図のように囲む間仕切り装置として構成するならば、机のコストが高くなることは言うまでもないが、視線を遮るために、このような正面パネル（ロ）及び側面パネル（ハ）を必要としない場合もある。
【０００４】
特開平１１−１２７９６６号に係る「サイドパネル取付構造」は、机の天板にサイドパネルを取り付けることが出来る構造である。そこで、机の側縁部上に配設するサイドパネルの後端部を、机の反使用端側に立設された正面パネルの側端部に接続した上で、該サイドパネルを机に止着するようにしたサイドパネル取付構造であって、前記正面パネルの側端面に竪溝を形成するとともに、サイドパネルの後端に前記正面パネル側に屈曲する掛止舌片を突設しておき、その掛止舌片を、前記竪溝における該サイドパネル側の一方縁に掛止させ、この掛止舌片が前記竪溝の開口中心よりも他方縁側にはみ出さないように設定している。
【０００５】
上記サイドパネルを天板に取付けるには正面パネルを必要とし、該正面パネルの側端部にサイドパネルの後端部を連結している。
同じく、実開平３−１３８２６号に係る「ディスクパネルの取付け装置」の場合も天板後端部にフロントパネルを起立させ、このフロントパネルの側端にサイドパネル後端を連結した構造としている。勿論、サイドパネル前端部は天板に取着して連結金具の突出部が嵌入して止着される。
【０００６】
このように、サイドパネルを天板に取付ける為に正面パネル（フロントパネル）を必要とする訳で、サイドパネル単独では天板に取付けることが出来ない。机の配列形態によっては正面パネルを必要としない場合もあり、このような場合に、サイドパネルだけを必要に応じて取付けることが出来る取付け構造が望ましい。
【特許文献１】特開平１１−１２７９６６号に係る「サイドパネル取付構造」
【特許文献２】実開平３−１３８２６号に係る「ディスクパネルの取付け装置」
【発明の開示】
【発明が解決しようとする課題】
【０００７】
このように、サイドパネルの取付け構造には上記のごとき問題がある。本発明が解決しようとする課題はこの問題点であり、サイドパネルだけを正面パネルから切り離して単独で天板側端部に取付けることが出来るサイドパネルの取付け構造を提供する。
【課題を解決するための手段】
【０００８】
本発明のサイドパネルは薄板で構成し、その形状は特に限定しないが、角部に丸みを持たせた概略長方形、又は全体が滑らかな曲線で外形を形成した円弧形としている。ただし、底辺は机天板に沿うようにストレートと成っている。そして、材質も自由であるが一般的には樹脂板が使用され、このサイドパネルは第１部材と第２部材によって天板上に垂直に起立して取付けられる。
【０００９】
ところで、上記第１部材は上片部と下片部及び連結部を有して概略コ形を成し、上片部には嵌合溝を形成し、下片部にはアジャスターが取付けられている。従って、上片部と下変部の間に形成している開口に天板が嵌り、上記アジャスターを調整して該天板に固定される。そしてサイドパネルの手前側のコーナー部が該嵌合溝に嵌合して支持される。ここで、上記アジャスターの具体的な構造は限定せず、開口が天板の縁部に嵌った状態で外れないように固定する為の手段であり、ネジ機構やレバー機構などが採用される。
【００１０】
一方、第２部材はサイドパネルの後方側の下辺部が嵌って支持することが出来る。そこで、所定の間隔をおいて２本の板片が起立し、両板片の間に形成した嵌合溝にサイドパネルが嵌合して支持される。ここで、嵌合溝に嵌ったサイドパネルがガタ付かないように粘着樹脂材などが設けられ、同じく底面にも天板に安定して密着するように粘着樹脂材などが取付けられている。
【発明の効果】
【００１１】
本発明では第１部材と第２部材に形成した嵌合溝にサイドパネルのコーナー部及び下辺部が嵌り、垂直に起立して取付けられる。従って、従来のように天板後方端に起立する正面パネルの側端部に連結する必要はなく、サイドパネル単独で天板に取付け出来る。そして上記第１部材及び第２部材は天板に固定されるが、その位置は自由に変えることが出来る為に、サイドパネルが起立する位置を変更することが可能となる。
【００１２】
又、サイドパネルは上記第１部材と第２部材とは切り離された独立部材である為に、サイドパネルの形状、及び大きさは必要に応じて選択出来、サイドパネルが不要な時には取外すことも可能である。一方、第２部材は天板上に載っているだけであるが、底面には粘着樹脂材などが取付けられていることで、滑り移動することなく安定する。
【図面の簡単な説明】
【００１３】
【図１】第１部材と第２部材にサイドパネルが起立して取付けられている斜視図。
【図２】サイドパネルの具体例。
【図３】第１部材の具体例。
【図４】第２部材の具体例。
【図５】天板の縁部に固定した第１部材と天板上に載っている第２部材によってサイドパネルが起立して取付けられている正面図。
【図６】天板の縁部に固定した第１部材の嵌合溝に嵌っているサイドパネル。
【図７】天板上に載置した第２部材の嵌合溝に嵌っているサイドパネル。
【図８】天板を備えた従来の間仕切り装置。
【発明を実施するための形態】
【００１４】
図１はサイドパネル１を机の天板２の側端部に取付けた状態を示す具体例である。該サイドパネル１は一定の厚さを有す板状態で、その外形が滑らかな円弧を成し、底辺は天板２に沿ってストレートとしている。勿論、サイドパネル１の形状は角部だけを丸めた概略長方形とすることもあり、その他の形状とすることは自由である。そして、材質に関しても任意であるが、樹脂板又は木質板が一般的である。
【００１５】
同図の３は第１部材、４は第２部材を示し、サイドパネル１はこれら第１部材３と第２部材４にて支持され、天板２に対して垂直に起立している。ここで、第１部材３は概略コ形を成して天板２の縁部を挟み込んで固定され、第２部材４は天板２の上に載っている。第１部材３及び第２部材４の位置は変えることが出来、その為にサイドパネル１が起立する場所は変更可能としている。
【００１６】
図２は上記サイドパネル１を単独で示す具体例である。サイドパネル１は一定厚さの樹脂製とし、下辺５はストレートであるが、その他の外形６は滑らかな曲線によって形成されている。又材質は樹脂に限らず、木質又はアルミ材を用いることも出来るが、隣の人の視線を遮る目的であることから、不透明なパネルとしている。
【００１７】
図３は第１部材を示す具体例であり、同図に示すように概略コ形を成し、上片部７、下片部８、及び連結部９を有している。そして、上片部７と下片部８との間は開口１０と成っている。そして、上片部７には点線で示す領域に嵌合溝１１を形成し、又下片部８にはアジャスター１２を取付けている。同図に示すアジャスター１２は下片部８に固定されたネジ１３に螺合していて、回転することでその高さ位置を変えることが出来る。ただし、アジャスターの構造として同図のごときネジ機構ではなく、レバー機構を用いて天板２の縁部に固定することも可能であり、該アジャスターの具体的構造は限定しないことにする。
【００１８】
図４は第２部材４を示す具体例である。同図に示しているように、第２部材４は円盤状の底部１４から２枚の板片１５ａ，１５ｂが垂直に起立し、両板片１５ａ，１５ｂの間には嵌合溝１６を設けている。又底部１４の底面には粘着樹脂材１７が固着されている。図５は机の天板２に固定した第１部材３及び第２部材４にサイドパネル１を取付けた正面図を示している。ここで、上記板片１５ａ，１５ｂは必ずしも平坦な板状をした部材に限るものではなく、細い棒状としてもサイドパネル１を起立させることが可能である。
【００１９】
図５では、天板２は床面に対して垂直に起立して据付られている正面パネル１８にその後方端部が支持されているが、該正面パネル１８は天板２から上方へ大きく延びている。すなわち、高く延びている正面パネル１８は前側に配置した机に座る人の視線を遮ることが出来る。これに対して、前に座る人の視線ほどではない隣りの人の視線を遮るために、本発明のサイドパネル１は必要に応じて取付けることが出来る構造と成っている。
【００２０】
図６はサイドパネル１のコーナー部が第１部材３に形成している嵌合溝１１に嵌って支持される場合を示している。第１部材３の開口１０に天板２の縁部１９を嵌めてアジャスター１２を回すならば、該アジャスター１２が上昇して天板２の下面に圧接し、その結果、上片部７とで挟まれて固定される。そして、上片部７には嵌合溝１１が形成され、この嵌合溝１１にサイドパネル１のコーナー部が嵌入して支持される。
【００２１】
図７はサイドパネル１の下辺部が第２部材４に形成した嵌合溝１６に嵌って支持されている状態を示している。第２部材４には円盤状の底部１４から起立する２枚の板片１５ａ，１５ｂの間に形成している嵌合溝１６に下辺部が嵌り、転倒しないようにしている。ここで、上記底部１４の底面には粘着樹脂材１７が固着されていて、天板２に載った第２部材４が滑らないようになる。又、板片１５ａ，１５ｂの内面にも粘着樹脂材が固着されていて、嵌合溝１６に嵌るサイドパネル１が移動しないように止着している。
【００２２】
しかし、上記粘着樹脂材１７に代わってマグネットを用いることも可能である。その為には天板２の側端部は薄い鉄板などの磁性体を積層した構造とすることで、第２部材４は滑ることなく所定の位置に停止することが出来る。また、板片１５ａ，１５ｂの何れか片方の内面にもマグネット板を取着し、サイドパネル１の下辺部に鉄板などの磁性体を積層することで、該サイドパネル１が独りでにスライドすることはない。
【符号の説明】
【００２３】
１  サイドパネル
２  天板
３  第１部材
４  第２部材
５  下辺５
６  外形
７  上片部
８  下片部
９  連結部
10  開口
11  嵌合溝
12  アジャスター
13  ネジ
14  底部
15  板片
16  嵌合溝
17  粘着樹脂材
18  正面パネル
19  縁部
【図２】
2011036404.tif 000003
【図３】
2011036404.tif 000004
【図４】
2011036404.tif 000005
【図５】
2011036404.tif 000006
【図６】
2011036404.tif 000007
【図７】
2011036404.tif 000008
【図８】
2011036404.tif 000009
【図１】
2011036404.tif 000010